(57)【特許請求の範囲】
【請求項１】
２つ以上の構成要素を有する外殻部を含み、前記構成要素が前記外殻部にわたって伸びる折畳みラインの周りでヒンジ式に接続されたヘルメットにおいて、各構成要素が複数のパネルを含み、各パネルが少なくとも１つの隣接するパネルとヒンジ式に接続され、それにより前記外殻部が、前記外殻部を使用者の頭部の上に置くことができる第１の形態と、第１および第２構成要素がそれぞれ平らにされかつ重なり合った関係で配置される第２の形態との間で調整可能であり、
前記外殻部が第１の形態に固定されるように隣接するパネルを一緒に固定するための手段が設けられることを特徴とするヘルメット。
【請求項２】
請求項１に記載のヘルメットにおいて、前記外殻部が前記構成要素の２つを有し、前記折畳みラインが前記ヘルメットの長手方向に伸びることを特徴とするヘルメット。
【請求項３】
請求項１又は２に記載のヘルメットにおいて、各パネルが、非線形でありかつ隣接するパネルの対応する非線形縁部と接合する少なくとも１つの縁部を有することを特徴とするヘルメット。
【請求項４】
請求項１乃至３の何れか１項に記載のヘルメットにおいて、前記外殻部の前記構成要素に、内側に突出した一体的なリブが設けられ、前記構成要素の前記リブが、前記ヘルメットが比較的圧潰された状態にあるとき、１つの構成要素の前記リブの少なくともいくつかが第２の構成要素のリブと交互配置されるように配置されることを特徴とするヘルメット。
【請求項５】
請求項１乃至４の何れか１項に記載のヘルメットにおいて、前記構成要素が可動ヒンジを用いて接続されることを特徴とするヘルメット。
【請求項６】
請求項１乃至５の何れか１項に記載のヘルメットにおいて、各パネルが可動ヒンジを用いて隣接パネルとヒンジ式に接続されることを特徴とするヘルメット。
【請求項７】
請求項２又は６に記載のヘルメットにおいて、前記パネル間および／または前記構成要素間の前記可動ヒンジが単一の材料シートから形成されることを特徴とするヘルメット。
【請求項８】
請求項７に記載のヘルメットにおいて、前記単一の材料シートが前記パネルに埋め込まれることを特徴とするヘルメット。
【請求項９】
請求項１乃至８の何れか１項に記載のヘルメットにおいて、前記ヘルメットが使用されているときに、前記パネルに隣接して横たわる使用者の頭部の湾曲した領域にほぼ形状が従うように各パネルが内側で成形されることを特徴とするヘルメット。
【請求項１０】
請求項１乃至９の何れか１項に記載のヘルメットにおいて、前記ヘルメットに、前部ピースおよび後部ピースが設けられ、各ピースが、開位置および閉位置の間で移動可能なヒンジ式に接続された２つの要素を含むことを特徴とするヘルメット。
【請求項１１】
請求項１０に記載のヘルメットにおいて、前記要素を前記開位置に付勢する手段が設けられることを特徴とするヘルメット。
【請求項１２】
請求項１１に記載のヘルメットにおいて、前記付勢手段が磁石であることを特徴とするヘルメット。
【請求項１３】
請求項１乃至１２の何れか１項に記載のヘルメットにおいて、前記外殻部構成要素を互いに向けて付勢する手段が設けられることを特徴とするヘルメット。
【請求項１４】
請求項１３に記載のヘルメットにおいて、前記付勢手段が磁石であることを特徴とするヘルメット。
【請求項１５】
請求項１乃至１４の何れか１項に記載のヘルメット用であることを特徴とする外殻部。
【請求項１６】
人の頭部に保護を提供する方法において、圧潰した形態の請求項１乃至１５の何れか１項に記載のヘルメットを提供するステップと、前記ヘルメットを開いた状態に開くステップと、前記ヘルメットを人の頭部に固定するステップとを含むことを特徴とする方法。
【請求項１７】
請求項１乃至１５の何れか１項に記載のヘルメットを使用後に保管または持ち運ぶ方法において、前記ヘルメットを使用者の頭部から取り外すステップと、前記ヘルメットを圧潰した状態にするステップとを含むことを特徴とする方法。
【発明の詳細な説明】
【技術分野】
【０００１】
本発明は例えば自転車運転者、オートバイ運転者、各種スポーツ活動参加者、および保護用ヘッドギアが着用される作業場所で作業する人々が使用できる圧潰可能ヘルメットに関する。
【背景技術】
【０００２】
サイクリングなどの屋外活動のための保護用ヘルメットは一般的に形状が頭頂部の形状にほぼ従う半球状であり、使用者が縁石などの突出物を含む硬い表面に倒れ込んだ場合または建設現場、採石場または鉱山で遭遇し得るような落下物が当たった場合、頭部を損傷から守るように設計された剛性の厚い衝撃吸収性材料から作製される。異なるスポーツ活動に必要とされる特定の厳密な安全基準がある。これらの基準に適合するヘルメットは、着用されないときに保管したりバッグの中などに入れたりするには一般的に嵩があり扱いにくい。
【発明の概要】
【０００３】
本発明によれば、２つ以上の構成要素を有する外殻部を含むヘルメットであって、構成要素が外殻部にわたって伸びる折畳みラインの周りでヒンジ式に接続されたヘルメットが提供され、各構成要素は複数のパネルを含み、各パネルは少なくとも１つの隣接するパネルとヒンジ式に接続され、それにより外殻部は、外殻部を使用者の頭部の上に置くことができる第１の形態と、前記第１および第２構成要素がそれぞれ平らにされかつ実質的に重なり合った関係で配置される第２の形態との間で調整可能であり得る。
【０００４】
好ましくは外殻部は前記構成要素の２つを有し、折畳みラインは好ましくはヘルメットの長手方向に伸びる。
【０００５】
好ましくは各パネルは、非線形でありかつ隣接パネルの対応する非線形縁部と接合する少なくとも１つの縁部を有する。
【０００６】
好ましくは外殻部の内側には、内側に突出した一体的なリブが設けられ、構成要素のリブは、ヘルメットが比較的圧潰された状態にあるときに１つの構成要素のリブの少なくともいくつかが第２構成要素のリブと交互配置されるように配置される。この構成により、保護の最大厚さを第２の形態時の最小厚さと併用できることが保証される。
【０００７】
好ましくはヘルメットには、外殻部が第１の形態に固定され剛性の構造を有するように第１および第２構成要素を一緒に固定する手段が設けられる。
【０００８】
好ましくは構成要素は、可動ヒンジ（ｌｉｖｉｎｇ  ｈｉｎｇｅ）、すなわちヒンジラインに沿って曲折可能なプラスチック材料などの適切な柔軟性材料から作製される薄い柔軟性ヒンジを用いて接続される。
【０００９】
好ましくは各パネルは可動ヒンジを用いて隣接するパネルにヒンジ式に接続される。
【００１０】
好ましくはパネル間および／または構成要素間の可動ヒンジは単一の材料シートから、より好ましくは単一のプラスチック材料シートから形成される。
【００１１】
より好ましくは単一の材料シートはパネル内に埋め込まれる。
【００１２】
好ましくは各パネルは、ヘルメットが使用されているときに前記パネルに隣接して横たわる使用者の頭部の湾曲した領域にほぼ形状が従うように内側で成形される。
【００１３】
好ましくはヘルメットには前部ピースおよび後部ピースが設けられ、各ピースは開位置と閉位置との間で移動可能なヒンジ式に合わせて接続された２つの要素を含む。
【００１４】
好ましくは前記要素を開位置に付勢する手段が設けられ、より好ましくは前記付勢手段は磁石である。
【００１５】
好ましくは外殻部構成要素を互いに付勢し合う手段が設けられる。より好ましくは前記付勢手段は磁石である。
【００１６】
本発明はさらに本発明のヘルメット用外殻部を提供する。
【００１７】
本発明はまた人の頭部に対する保護を提供する方法も提供し、本方法は、圧潰された状態の本発明のヘルメットを提供するステップと、ヘルメットを開いた状態に開くステップと、ヘルメットを人の頭部に固定するステップとを含む。
【００１８】
さらに本発明は使用後に本発明のヘルメットを保管するまたは持ち運ぶ方法を提供し、本方法は、ヘルメットを人の頭部から取り外すステップと、ヘルメットを圧潰した状態にするステップとを含む。
【００１９】
本発明はヘルメットを持ち運ぶ目的であるいは格納する目的でその大きさの約３分の１まで圧潰することができる。
【００２０】
保護用ヘルメットのものなど、半球形状は頑丈であり、元々圧潰せず、折り畳めない。しかしながら本発明は、縁部に沿ったヒンジ軸を有し隆起した面を有する、いくつかの床が開いた多面体など、他の３次元形状の圧潰性を利用する。このようにして、複合的な折畳み不可能な多面体を、選択した縁部に沿って面と面の間を分離することによって、折り畳むことができる。
【００２１】
本発明は折り畳み可能な多面体の内側面および外側面に保護外装を実際において付与して略半球状のヘルメット形状を形成する。湾曲した外装を有する単純な多面体は非常に平らには折り畳めない。より複雑な多面体は、特に内側面がオフセットされたリブを有する場合、最小の折畳み数と折畳みの平坦性との間のつり合いを得ることができる。
【００２２】
本発明によれば、縁の周りの適切な固定クリップを使用し、ヘルメットを折り畳み不可能な多面体にすることによって使用時に剛性の半球を形成することで、外殻部は従来のヘルメットと同様に機能する。しかしながらクリップを切り離すと、ヘルメットは圧潰または折り畳み可能である。
【図面の簡単な説明】
【００２３】
添付図面は以下の通りである。
【００２４】
【図１】図１は、本発明によるヘルメットの外殻部を示す前方斜視図である。
【図２】図２は、図１のヘルメット外殻部の後方斜視図である。
【図３】図３は、図１のヘルメット外殻部の底面図である。
【図４】図４は、圧潰状態にある図１のヘルメット外殻部の側面斜視図である。
【図５】図５は、圧潰状態にある図１のヘルメット外殻部の底面図である。
【図６】図６は、図１のヘルメット外殻部のフレームの前方斜視図である。
【図７】図７は、離した状態の側部を有する図１のヘルメット外殻部の底面図である。
【発明を実施するための形態】
【００２５】
次に本発明を、単に例証を目的として、添付の図面を参照して記載する。
【００２６】
添付の図面を参照すると、本発明のヘルメットはヘルメット外殻部１と、ヘルメットを使用者の頭部に固定するための紐などの接続具（不図示）とを含む。外殻部１はフレーム５の形態のポリプロピレンシートに取り付けられた複数の剛性発泡パネル３を含み、フレーム５は実質的に外殻部１の全体を覆って延在する単一シートであるとともにパネル３が互いに枢動することを可能にする一連の可動ヒンジ７として提供される。
【００２７】
各パネル３は隣接パネルの対応縁部と一致し接合する少なくとも１つの非線形縁部４を有する。結果として、通常は外殻部を貫いて着用者の頭蓋骨まで達するであろう縁石の鋭角などの鋭角にヘルメットが当たる場所にさえ保護が提供される。
【００２８】
従って、外殻部１を組み込むヘルメットは２つの構造を取ることができる。図１〜３に示されるような開いた状態において、ヘルメットは使用者の頭部を保護するために使用者によって着用されることができる。図４に示されるような閉じたまたは圧潰された状態において、ヘルメットは比較的平らであり、開いた状態の大きさの約３分の１であり、ブリーフケースまたは他のバッグでの便利な収納に役立ち、または手で持ち歩くのに比較的嵩張らない物品を提供する。
【００２９】
外殻部１は前部から後部まで中央に伸びる軸または折畳みライン９の周りで圧潰可能である。別の実施形態では、対応する折畳みラインは側部から側部へ横方向に伸びてもよく、または外殻部にわたって伸びる２本以上のそのようなラインがあってもよい。外殻部１は２つの部分１１および１３を含み、それらは概ね同一であり、以下に記載されるオフセットされたリブ特徴部を付加され、それぞれ実質的に外殻部の半部を提供する。
【００３０】
各半外殻部は上パネル１５、横パネル１７、前パネル１９および後パネル２１を含む。前パネル１９と隣接する上パネル１５との間に設けられるのは前部通気路２３である。対応する後部通気路２５が後パネル２１と上パネル１５との間に設けられる。上に記載したように、パネルの全アセンブリはポリプロピレンフレーム５に取り付けられ、ポリプロピレンフレーム５は上側および下側パネル部分に埋め込まれている。フレーム７には穴２７が設けられ、穴２７を通してパネルの発泡材料が延在する。
【００３１】
パネル３は一般に、使用の際にパネルに隣接して横たわる着用者の頭部の領域に形状が一致するように内側で成形される。各パネル３は平面において非常に大まかに台形のものである。他の実施形態では、パネルは楕円などの他の形状のものであってもよい。
【００３２】
前パネル１９と後パネル２１の接合縁部に磁石を設けて、隣接するパネルが互いに引かれ合い、開いた状態で外殻部を支持するようにする。磁石は対向するパネル１１および１３にも設けられ、これらは圧潰された状態で外殻部の一体性を維持するように互いに引き合う。
【００３３】
特に図７を参照すると、横パネル１７のそれぞれの中央パネルは、固定機構を用いて、隣接する横パネルに接続されている。この固定機構は中央パネルにボス２９を、および隣接パネルに配置された受け具３１を含む。スライドリリースボタン３３が、受け具とボスを係脱するように動作可能な中央パネル１７に配置される。この固定機構は、外殻部が開かれたとき、固定機構が適所にスナップ嵌めしている状態で、中央パネル１７を図７で示される位置から図１の位置まで動かすことができるようなものである。リリースボタン３３によって固定機構を切り離すとパネル１７を外側に動かして外殻部を図５で示されるような状態に折り畳むことが可能になる。
【００３４】
外殻部１の内側はリブ３５などのリブを提供するように形状化される。外殻部１の１つの構成要素のリブは外殻部１の他方側の対応する構成要素のリブとオフセットされる。これらリブは、ヘルメットが圧潰されるとき、交互配置されるように配置される。従って強固な構造をヘルメットにもたらすことができる一方でヘルメットを非常に平らな構造に圧潰することを可能にする。
【図１】
0006026421.tif 000002
【図２】
0006026421.tif 000003
【図３】
0006026421.tif 000004
【図４】
0006026421.tif 000005
【図５】
0006026421.tif 000006
【図６】
0006026421.tif 000007
【図７】
0006026421.tif 000008